(57)【特許請求の範囲】
【請求項１】
配管頂部に接続されるケーシングに収装した浮子と前記ケーシングに空気を導入または前記ケーシングに溜まった空気を排出する吸排気口とを有し、前記吸排気口は大吸排気口と小吸排気口の２つからなり、前記ケーシングの頂端を覆う蓋体に前記大吸排気口が設けられて前記ケーシング内で上下可動に収納された大弁体の動作で前記大吸排気口を下から開閉し、前記大弁体を上下に貫通して前記小吸排気口が設けられて前記大弁体下方で上下可動に配置された浮子の動作に連動して動作する小弁体で前記小吸排気口を下から開閉する吸排気弁装置において、
前記大弁体は、有底円筒状の部材が開口側を下にして配置されるとともに内側部分に前記小弁体を収装した弁室を形成し、該弁室の頂壁側で前記小吸排気口が開口して前記小弁体が近接・離間する小弁座とされ、該小弁座が前記弁室の下部開口端位置から所定高さ以上の位置に配置されているとともに前記大弁体が前記弁室内に所定量以上の空気を溜めて全体として所定レベル以上の浮力を発揮することにより、前記ケーシング内に侵入して前記弁室内に入った水の水位が前記小弁座の高さまで達しないものとされていることを特徴とする吸排気弁装置。
【請求項２】
前記大弁体は、前記弁室の下部開口端まで空気を充填した状態で前記弁室を含む体積による比重が水よりも小さいことを特徴とする請求項１に記載した吸排気弁装置。
【請求項３】
前記小弁体と前記浮子の連動はレバー部材により連結されて行われ、前記レバー部材は両端側の水平部分から屈曲して斜め縦向きに延びた中間部分で前記小弁体と前記浮子の高低差に対応して連結させていることを特徴とする請求項１または２に記載した吸排気弁装置。
【請求項４】
前記蓋体には、その頂面に形成した取付縁に嵌め合わせた下向き環状の連結縁及び前記大吸排気口の上方領域を覆った上覆板とからなるカバー部材が設けられており、該カバー部材の連結縁に前記大吸排気口の上方一側から外側方に向けて突出させた底面を前記大吸排気口の上端面とほぼ同一高さ位置とした流出水を所定箇所に誘導する導管を接続する接続口と、前記大吸排気口の接続口を除いた上方の外周領域に亘って設けられた前記大吸排気口の上端面よりも上方へ突出させた立上り縁を有する前記吸排気口を大気に開放させた吸排気用の開口を有していることを特徴とする請求項１，２または３に記載した吸排気弁装置。
【発明の詳細な説明】
【技術分野】
【０００１】
本発明は、吸気・排気を一つの装置で行う吸排気弁装置に関し、殊に給水・排水等における配管の負圧破壊及び空気排出を行うために配管頂部に設けられる吸排気弁装置に関する。
【背景技術】
【０００２】
高層集合住宅などの給水システムにおいて、受水槽を使用しない増圧直結システムを採用した場合、配管設備の保護や給水の安定化を図るために立て配管の頂部に吸気弁や排気弁を設置することが必要となる。吸気弁は一時的な断水やポンプ事故などにより配管内圧力が低下し、立て配管上部が負圧になって逆サイホン現象を発生することを防止する目的で空気を吸入させるものであり、排気弁は配管に経時的に溜まった空気や初期通水時に内部に存在する空気を排出するものである。
【０００３】
この吸気弁と排気弁を一体品としてコンパクトに纏めたものとして、例えば特開２００２−２２０４３号公報に記載されているように、配管頂部に接続されるケーシングの上端側に大吸排気口と小吸排気口を有するとともに、ケーシング内に遊動弁体と重比重の浮子弁体及び軽比重の浮子とを上下に配して、浮子下降位置で大吸排気口と小吸排気口がともに開かれ、浮子が上昇すると先ず遊動弁体が大吸排気口を閉じ、次いで浮子弁体が遊動弁体に設けた小吸排気口を閉じるものとし、また空気が溜まると小吸排気口が開き、負圧発生時には大吸排気口・小吸排気口がともに開くものとした吸排気弁装置が知られている。
【０００４】
しかし、このように吸気弁と排気弁を一体化したものにあっては、閉弁不良などを原因として水が流出した場合の対策が充分に考慮されていない。そこで、この問題に対し、流出水の処理と吸排気能力の確保とを両立させながらメンテナンス性も改善した吸排気弁装置が、特開２００４―１７６８３６号公報に提案されている。
【０００５】
この吸排気弁装置では、ケーシング頂端を覆う蓋体に開口した吸排気口を覆うようにカバー部材が設けられ、このカバー部材にその吸排気口上端面とほぼ同一高さ位置とした流出水を誘導する導管を接続する接続口と、この吸排気口の接続口を除いた上方の外周領域に亘って設けられ吸排気口上端面よりも上方へ突出させた立上り縁を有して吸排気口を大気に開放させた吸排気用の開口とが設けられており、流出水の処理を的確に行うとともに高い吸排気能力を発揮するものとなっている。
【０００６】
ところが、この吸排気弁装置を含め、大吸排気口を開閉する大弁体と大弁体に設けられた小吸排気口を開閉する小弁体をケーシング内に備えたものにあっては、大弁体において下端側又は内部頂壁側に開口した小吸排気口の小弁座と、小弁体を開閉動作させる浮子の上面とが比較的近い位置に配置されており、大弁体の浮力が浮子の浮力よりも格段に小さいこと等を原因として、ケーシング内に入った水の水面が小吸排気口の小弁座位置まで達しやすくなっており、水に含まれる塵芥が小弁体と小弁座の間に噛み込んで小吸排気口を開閉する小弁体の弁機能不良を招く畏れがある。
【先行技術文献】
【特許文献】
【０００７】
【特許文献１】特開２００２−２２０４３号公報
【特許文献２】特開２００４―１７６８３６号公報
【発明の概要】
【発明が解決しようとする課題】
【０００８】
本発明は、上記のような問題を解決しようとするものであり、大吸排気口を開閉する大弁体と大弁体に設けられた小吸排気口を浮子の上下動で開閉する小弁体とをケーシング内に備えた吸排気弁装置について、小吸排気口を開閉する小弁体の弁機能を良好に維持できるようにすることを課題とする。
【課題を解決するための手段】
【０００９】
そこで、本発明は、配管頂部に接続されるケーシングに収装した浮子とケーシングに空気を導入またはケーシングに溜まった空気を排出する吸排気口とを有し、その吸排気口は大吸排気口と小吸排気口の２つからなり、ケーシングの頂端を覆う蓋体に大吸排気口が設けられてケーシング内で上下可動に収納された大弁体の動作でこの大吸排気口を下から開閉し、この大弁体を上下に貫通して小吸排気口が設けられて大弁体下方で上下可動に配置された浮子の動作に連動して動作する小弁体でその小吸排気口を下から開閉する吸排気弁装置において、その大弁体は、有底円筒状の部材が開口側を下にして配置されるとともに内側部分に小弁体を収装した弁室を形成し、この弁室の頂壁側で小吸排気口が開口して小弁体が近接・離間する小弁座とされ、この小弁座が弁室の下部開口端位置から所定高さ以上の位置に配置されているとともに大弁体が弁室内に所定量以上の空気を溜めて全体として所定レベル以上の浮力を発揮することにより、ケーシング内に侵入して弁室内に入った水の水位が小弁座の高さまで達しないものとされている、ことを特徴とするものとした。
【００１０】
このように、大弁体を有底円筒状の部材が下向きに配置されたものとしながら内部に小弁体を有した弁室を形成して頂壁側に小吸排気口が開口した小弁座を配置したものとして、その弁室を上下方向に長くする等してその小弁座の位置が弁室下部開口端位置から所定高さ以上になるように配置しながら大弁体が所定レベル以上の浮力を有するように設計して、侵入した水の水位があらゆる状況においても小弁座の位置まで達しないように弁室内の空気層部分を大きく確保することにより、水に含まれる塵芥等が小吸排気口の開閉弁部分に噛み込むことを回避して、小弁体の弁機能を良好に維持しながら小吸排気口を介して水や空気が漏れることによるトラブルの発生を有効に防止できるものとなる。
【００１１】
また、この場合、その大弁体は、弁室の下部開口端まで空気を充填した状態で弁室を含んだ体積による比重が水よりも小さいことを特徴としたものとすれば、ケーシング内部に水が侵入して大弁体の周囲に水が浸入した場合に、弁室内部の空気層部分を大きく確保しやすいものとなる。
【００１２】
さらに、上述した吸排気弁装置において、その小弁体と浮子の連動はレバー部材により連結されて行われ、そのレバー部材は両端側の水平部分から屈曲して斜め縦向きに延びた中間部分で小弁体と浮子の高低差に対応して連結させていることを特徴としたものとすれば、弁室の高さを充分に確保しやすいものとなる。
【００１３】
さらにまた、上述した吸排気弁装置において、その蓋体には、その頂面に形成した取付縁に嵌め合わせた下向き環状の連結縁及び大吸排気口の上方領域を覆った上覆板とからなるカバー部材が設けられており、このカバー部材の連結縁に大吸排気口の上方一側から外側方に向けて突出させた底面を大吸排気口の上端面とほぼ同一高さ位置とした流出水を所定箇所に誘導する導管を接続する接続口と、大吸排気口の接続口を除いた上方の外周領域に亘って設けられた大吸排気口の上端面よりも上方へ突出させた立上り縁を有する吸排気口を大気に開放させた吸排気用の開口を有している、ことを特徴としたものとすれば、流出水の処理が的確に行えるものとなる。
【発明の効果】
【００１４】
小吸排気口下部の小弁座を弁室下部開口位置から所定高さ以上の位置に配置しながら大
弁体が所定レベル以上の浮力を有したものとして、侵入した水の水位が小弁座位置まで達しないものとした本発明によると、小吸排気口を開閉する小弁体の弁機能を良好に維持することができるものである。
【図面の簡単な説明】
【００１５】
【図１】本発明における実施の形態の縦断面図である。
【図２】図１の吸排気弁装置の取付け状況を示す配置図である。
【図３】（Ａ），（Ｂ），（Ｃ），（Ｄ）は図１の吸排気弁装置の動作を説明するための縦断面図である。
【図４】本発明の異なる実施の形態を示す縦断面部分図である。
【発明を実施するための形態】
【００１６】
以下に、図面を参照しながら本発明を実施するための形態を説明する。
【００１７】
図１は本実施の形態の吸排気弁装置１の縦断面図を示している。下端に雄ねじ付き短管状の取付部２２を突設した有底且つ上面開放の円筒状のケーシング２に、その上面を塞いだ蓋体３が気密且つネジ嵌合により取り外し可能に装着されており、この吸排気弁装置１は、図２に示すように水道水又は温水の給水配管１５ａの頂部に取付部２２をねじ込み結合することにより、ケーシング２内部の吸排気室２０と給水配管１５ａ内部とを連通して給水・排水等における給水配管１５ａの負圧破壊及び空気排出を行うために配設されるものである。
【００１８】
その蓋体３は、中心部に大径、一般にはケーシング２の径の二分の一程度の大きさの大吸排気口３０が設けられており、この大吸排気口３０は周縁に吸排気室２０へ向かって突出した大弁座３１及び反対の上方へ向かって突出した取付縁３２を有している。
【００１９】
また、蓋体３には、大吸排気口３０の上方を覆ったカバー部材４が付設されている。このカバー部材４は、取付縁３２に嵌め合わせた下向き環状の連結縁４３及び大吸排気口３０の上方領域を覆った上覆板４４と、大吸排気口３０の上方一側から外側方へ向けて突出させた雌ねじ付きの接続口４２と、連結縁４３と一体であって大吸排気口３０の上端面よりも上方へ突出させた立上り縁４０とを有している。
【００２０】
接続口４２の底面は、大吸排気口３０の上端面とほぼ同一高さ位置とされており、それよりも上方へ突出した立上り縁４０は、接続口４２を除いた大吸排気口３０の全周に亘って設けられている。上覆板４４の外周線部分は、立上り縁４０の側方領域に張り出して下方へ曲げられた側覆板（図中見えず）を一体に有しており、立上り縁４０と側覆板との間の接続口４２が設けられた箇所を除く環状下向きの部分は、大吸排気口３０を大気に開放させる開口４１を形成する。尚、この立上り縁４０は、流出水を開口４１から大気中へ放出させることなく接続口４２に導くものである。
【００２１】
以上のような本実施の形態に係る蓋体３によると、大吸排気口３０を充分に形成できるとともに、その周囲のほぼ全周領域に亘って設けられる開口４１も任意の大きさに形成できるため、大量の空気を短時間で吸排気させ、吸排気室２０の圧力開放、負圧破壊を迅速且つ的確に行うことができ、また、開口４１から漏出させることなく接続口４２を介して導管側に水を排出することができる。尚、以上の構成は、上述した特開２００４―１７６８３６号公報にも見られる周知の技術である。
【００２２】
一方、ケーシング２の内部には、大吸排気口３０を下から開閉するように上面側に大弁座３１に当接・離間する環状の当たり面６２が形成されて吸排気室２０内で上下可動な状態に収納された大弁体６と、その下方で上下可動な状態で配置された円柱状の浮子７とを
備えている。また、ケーシング２内周面と平行且つ所定距離を有し縦向きの複数の案内板を周方向に連設してなるガイド部材５が固定されており、これで大弁体６と浮子７の上下動作をスムースに案内するようになっている。
【００２３】
その大弁体６は、たとえば比較的軽量なポリプロピレン樹脂により有底円筒状（カップ状）に成形された部材を下向きに配置して内側部分に小弁体６４を配置してなる弁室６０を形成しており、弁室６０の頂壁を上下に貫通して小吸排気口６１が設けられて、この下端側開口部を小弁座６３として小弁体６４がこれに密着・離間可能な状態で頂壁から吊支されており、この小弁体６４の下部と、大弁体６下方位置に配置された浮子７上面側とがレバー６５で連結されており、浮子７の上下動により小弁体６４で小吸排気口６１を開閉するようになっている。
【００２４】
そして、本発明において、この大弁体６に形成された弁室６０における小弁座６３が弁室６０下部開口位置から所定高さ以上の位置に配置されているとともに自身の軽量素材によって大弁体６が吸排気室２０内に侵入した水に対し全体として所定レベル以上の浮力を発揮するようになっており、吸排気室２０に侵入して弁室６０内に入った水の水位が小弁座６３の高さまで達しないうちに大弁座３１を閉じてしまうようにした点を特徴としている。
【００２５】
即ち、従来例においても大弁体の内部に小弁体を収装した弁室を有するものは存在するが、その弁室の下部開口端から頂壁までの高さが比較的低いため小弁座までの高さも低くなり、且つ、弁室内で空気を溜める空洞部分が小さいことで大弁体全体としての比重が大きく浮力が小さいものであることから、弁室に侵入した水の水位が小弁座の位置まで達しやすくなっており、水に含まれる塵芥等が小弁体との間に噛み込むことで弁機能を充分に発揮できずに種々のトラブルを招くことがあった。
【００２６】
これに対し、本発明において弁室６０の高さを充分に確保することで小弁座６３の位置を弁室６０下部開口端位置から充分に高く配置するものとし、且つ、弁室６０を大きくしたことや素材を軽量化して大弁体６の浮力を増大させて吸排気室２０に水が侵入した場合に浮きやすいものとし、弁室６０内の空気層部分を大きく確保して小弁座６３に水が触れないようにして、塵芥を噛み込むことによる弁機能の悪化を回避可能としたものである。
【００２７】
尚、この場合、大弁体６を軽量樹脂で作成すること等により、弁室６０を含んだ体積による比重が全体として水よりも小さくなるようにすれば、弁室６０内の水位の上昇を一層抑えやすいものとなる。また、小弁体６４を浮子７の上下動に連動させるために両者を渡して連結したレバー６５を、両端側の水平部分から続く中間部分を各々水平部分から屈曲して斜め縦向きに延びたものとすることで、小弁体６４と浮子７の高低差に容易に対応することができ、高低差を大きく設定しやすいものとなる。
【００２８】
次に、図３を用いながら本実施の形態の動作を説明する。配管工事を終わった段階で図２に示した状態となるが、最初の通水を開始したとき、または断水により配管内水位が低下した状態から通水を再開したとき、図３（Ａ）に示すように浮子７はケーシング２底部に乗り大弁体６も浮子７上面に乗っており、大吸排気口３０は開放している。そのため、通水に伴って配管内の空気が開口４１及び接続口４２を通って大気中へ短時間で大量に排出される。
【００２９】
吸排気室２０内の水位が上昇すると、図３（Ｂ）に示すように浮子７が浮力により上昇するとともに浮子７が下端側に当接した大弁体６も自己の浮力と浮子７による上向きの付勢力で上昇して大吸排気口３０を閉止する。尚、本実施の形態では浮子７の浮力が大弁体６の浮力に勝り、水が侵入した早い時期から弁室６０内のレバー６５で小弁体６４を小弁
座６３に押し付けて堅固な閉弁状態を維持しており、弁室６０内の空気が小吸排気口６１から流出することは殆どない。
【００３０】
そして、この状態で吸排気室２０上部と大弁体６の弁室６０上部に空気が封入されて水が高水位の満水となった平行状態になる。この状態で空気や水の流出が防止され配管内の通水は正常に行われるが、斯かる高水位の状態では吸排気室２０の大弁体６外周側の水位Ｌ１は弁室６０の小弁座６３の位置よりも上に位置しているが、弁室６０内の水位Ｌ２は小弁座６３の位置よりも下の位置で維持されており、水中に含まれる塵芥等が小弁座６３と小弁体６４の間に噛み込むことによる弁機能不良の発生を回避するようになっている。
【００３１】
配管内の通水に混入した空気は、配管頂部に設置されている吸排気室２０の上部に入るが、この空気が徐々に溜まって内圧が高くなると、図３（Ｃ）に示すように内部の水が下方に押し出されて水位を低下させ、これに伴って浮子７が下降して小吸排気口６１を開放することにより、溜まった空気を小吸排気口６１から大吸排気口３０を通って大気中に少しずつ放出させる。
【００３２】
この場合、大弁体６は内外圧力差に基づく不勢力で下降することなく大吸排気口３０を閉止している。内圧が低下すると水位が再び上昇し、浮子７が上昇して小吸排気口６１を閉止することにより、図３（Ｂ）の状態に戻り、（Ｂ）と（Ｃ）とが繰り返されて水を流出させることなく溜まった空気だけを排出することにより、配管に正常な通水を維持させることができる。
【００３３】
断水等により配管内の水位が低下し、ケーシング２内の水が配管に戻ると負圧を発生するが、図３（Ｄ）に示すように吸排気室２０が空になることで大弁体６が下降し、浮子７もケーシング２底部に乗って大吸排気口３０を開放する。このため、開口４１さらには接続口４２から吸排気室２０を通って配管に短時間で大量の空気が吸引導入され、負圧を破壊して逆サイホン現象の発生を防止する。通水が再開されると図３（Ａ）の状態を経て図３（Ｂ）の状態に戻る。
【００３４】
一方、閉弁不良などを原因として、水が吸排気室２０から大吸排気口３０を通って溢れ出た場合、この流出水は立上り縁４０によって開口４１から排出されることなく接続口４２に誘導され、導管１６（図２参照）を通って所定箇所に排出される。尚、図４に示すように、大気側に連通する開口４１を閉鎖した構造のカバー体４Ｂに変更し、水及び空気を接続口４２のみから排出する密閉方式とした場合でも、上述と同様に優れた吸排気弁機能を発揮することができる。
【００３５】
以上、述べたように、大吸排気口を開閉する大弁体と大弁体に設けられた小吸排気口を浮子の上下動で開閉する小弁体とをケーシング内に備えた吸排気弁装置について、本発明により、小吸排気口を開閉する小弁体の弁機能を良好に維持できるようになった。
【符号の説明】
【００３６】
１  吸排気弁装置、２  ケーシング、３  蓋体、４，４Ｂ  カバー体、６  大弁体、７
浮子、１５ａ  給水配管、１６  導管、２０  吸排気室、３０  大吸排気口、３１  大弁座、４０  立上り縁、４１  開口、４２  接続口、６０  弁室、６１  小吸排気口、６３  小弁座、６４  小弁体、６５  レバー
【図１】
0005718666.tif 000002
【図２】
0005718666.tif 000003
【図３】
0005718666.tif 000004
【図４】
0005718666.tif 000005